(57)【要約】【課題】  複数台のディスク再生装置と、これらディスク再生装置を制御する制御装置と、が直列に接続されてなるディスク再生システムにおいて、電源未投入状態にあるディスク再生装置が一部存在する場合においても、残りのディスク再生装置を有効に制御して多数枚のディスクの再生を実現させる。【解決手段】  複数のディスク再生装置２０〜４０と、これらディスク再生装置２０〜４０を制御する制御装置１０と、が通信ケーブル６０を介して情報通信可能に直列に接続されてなるディスク再生システム１において、ディスク再生装置２０〜４０に電源が投入されているか否かを検出する手段と、終端に配置されていないディスク再生装置３０が電源未投入状態にある場合に、ディスク再生装置３０に情報を入力するための入力インターフェースと、ディスク再生装置３０から情報を出力するための出力インターフェースと、を情報通信可能に接続する手段と、を備える。【選択図】図１
2005292923.tif 000002
【特許請求の範囲】
【請求項１】
複数のディスク再生装置と、これらディスク再生装置を制御する制御装置と、が入出力インターフェース及び通信ケーブルを介して情報通信可能に直列に接続されてなるディスク再生システムにおいて、
直列に接続されたディスク再生装置に電源が投入されているか否かを検出する電源投入状態検出手段と、
直列に接続されたディスク再生装置のうち終端に配置されていないディスク再生装置が電源未投入状態にある場合に、この電源未投入状態にあるディスク再生装置に情報を入力するための入力インターフェースと、前記電源未投入状態にあるディスク再生装置から情報を出力するための出力インターフェースと、を情報通信可能に接続する電源未投入時接続手段と、
を備えることを特徴とするディスク再生システム。
【請求項２】
少なくとも何れか一つのディスク再生装置が電源未投入状態にある場合、又は、電源未投入状態にあるディスク再生装置に対して制御指令が送出された場合に、その旨を所定の表示部に表示する表示制御手段を備えることを特徴とする請求項１に記載のディスク再生システム。
【発明の詳細な説明】
【技術分野】
【０００１】
本発明は、ディスク再生システムに関する。
【背景技術】
【０００２】
現在、多数枚のディスク（ＭＤ、ＣＤ、ＤＶＤ等）を連続的に再生する目的で、複数台のディスク再生装置と、これらディスク再生装置を制御する１台の制御装置と、を所定の通信ケーブルで「直列」に接続してディスク再生システムを構成する技術が提案されている（例えば、特許文献１参照。）。
【特許文献１】特開平９−２７４５７９号公報（第４頁、第１図）
【発明の開示】
【発明が解決しようとする課題】
【０００３】
前記したように複数台のディスク再生装置と制御装置とが「直列」に接続されてなるディスク再生システムにおいては、システムを構成する一部の装置に電源が投入されていないと、装置間の情報通信が遮断され、システム全体の制御が不可能となるという問題がある。
【０００４】
このような問題を、制御装置である１台のミュージックサーバ１１０と、ディスク再生装置である３台のＤＶＤチェンジャ（第１チェンジャ１２０〜第３チェンジャ１４０）と、スピーカ付きのモニタ１５０と、をＩＥＥＥ１３９４ケーブル１６０で直列に接続して構成した図５のディスク再生システム１００を用いて具体的に説明する。
【０００５】
例えば、図５に示したディスク再生システム１００の第２チェンジャ１３０に電源が投入されていない場合には、ミュージックサーバ１１０と、第３チェンジャ１４０と、の間の情報通信が遮断されてしまうため、ミュージックサーバ１１０からの制御指令が第３チェンジャ１４０側に伝送されなくなるとともに、第３チェンジャ１４０からの情報がミュージックサーバ１１０側に伝送されなくなる。この結果、第３チェンジャ１４０に電源が投入されていても、第３チェンジャ１４０内のＤＶＤの再生が不可能となり、第３チェンジャ１４０内のＤＶＤに記録された画像・音声情報をモニタ１５０に表示・出力することができなくなっていた。
【０００６】
本発明の課題は、複数台のディスク再生装置と、これらディスク再生装置を制御する１台の制御装置と、が「直列」に接続されてなるディスク再生システムにおいて、電源未投入状態にあるディスク再生装置が一部存在する場合においても、残りの電源投入状態にあるディスク再生装置を有効に制御して、多数枚のディスクの再生を実現させることである。
【課題を解決するための手段】
【０００７】
以上の課題を解決するために、請求項１に記載の発明は、
複数のディスク再生装置と、これらディスク再生装置を制御する制御装置と、が入出力インターフェース及び通信ケーブルを介して情報通信可能に直列に接続されてなるディスク再生システムにおいて、
直列に接続されたディスク再生装置に電源が投入されているか否かを検出する電源投入状態検出手段と、
直列に接続されたディスク再生装置のうち終端に配置されていないディスク再生装置が電源未投入状態にある場合に、この電源未投入状態にあるディスク再生装置に情報を入力するための入力インターフェースと、前記電源未投入状態にあるディスク再生装置から情報を出力するための出力インターフェースと、を情報通信可能に接続する電源未投入時接続手段と、
を備えることを特徴とする。
【０００８】
請求項２に記載の発明は、請求項１に記載のディスク再生システムにおいて、
少なくとも何れか一つのディスク再生装置が電源未投入状態にある場合、又は、電源未投入状態にあるディスク再生装置に対して前記制御装置から制御指令が送出された場合に、その旨を所定の表示部に表示する表示制御手段を備えることを特徴とする。
【発明の効果】
【０００９】
本発明によれば、複数台のディスク再生装置と、これらディスク再生装置を制御する１台の制御装置と、が「直列」に接続されてなるディスク再生システムにおいて、電源未投入状態にあるディスク再生装置が一部存在する場合においても、残りの電源投入状態にあるディスク再生装置を有効に制御して、多数枚のディスクの再生を実現させることができる。
【発明を実施するための最良の形態】
【００１０】
以下、本発明の実施の形態を、図を用いて詳細に説明する。
【００１１】
まず、図１を用いて、本実施の形態に係るディスク再生システム１の構成について説明する。
【００１２】
ディスク再生システム１は、図１に示すように、１台のミュージックサーバ（以下「サーバ」という）１０と、３台のＤＶＤチェンジャ（第１チェンジャ２０、第２チェンジャ３０及び第３チェンジャ４０）と、モニタ５０と、がＩＥＥＥ１３９４ケーブル（以下「ケーブル」という）６０で直列に接続されて構成されている。
【００１３】
３台のＤＶＤチェンジャ（第１チェンジャ１０〜第３チェンジャ３０）は、各々、多数枚のＤＶＤを収納するディスク収納部を備えている。そして、サーバ１０が各ＤＶＤチェンジャを制御することにより、各ＤＶＤチェンジャのディスク収納部に収納された多数枚のＤＶＤを連続的に再生することができる。また、モニタ５０は、画像情報を表示する表示画面５１と、音声を出力するスピーカ５２と、を備えており、ＤＶＤに記録された画像情報を表示画面５１に表示するとともに、ＤＶＤに記録された音声情報をスピーカ５２から出力することができるようになっている。
【００１４】
次に、図２を用いて、本実施の形態に係るディスク再生システム１を構成するサーバ１０の機能的構成について説明する。
【００１５】
サーバ１０は、本発明における制御装置であり、図２に示すように、メモリ１１、操作部１２、表示部１３、モニタ側Ｉ／Ｆ１４、チェンジャ側Ｉ／Ｆ１５、制御部１６等を備えている。
【００１６】
メモリ１１は、制御部１６により実行される各種制御プログラムや、制御に使用される各種データ等を記録するものであり、読出自在で書替不能な記録媒体であるＲＯＭや、読み書き自在な記録媒体であるＲＡＭ等から構成されている。
【００１７】
操作部１２は、サーバ１０や各ＤＶＤチェンジャを制御するための各種指示を入力する入力キーや、指示内容等の選択時に用いるジョグダイアルキー等を備えている。表示部１３は、サーバ１０の操作部１２の各種キーにより入力された入力情報や、各ＤＶＤチェンジャに係る情報等を表示するものである。
【００１８】
モニタ側Ｉ／Ｆ１４は、ケーブル６０を介してモニタ５０との間で情報を送受信するための入出力インターフェースであり、チェンジャ側Ｉ／Ｆ１５は、ケーブル６０を介して各ＤＶＤチェンジャとの間で情報を送受信するための入出力インターフェースである。なお、本実施の形態においては、通信規格として「ＩＥＥＥ１３９４」を採用している。
【００１９】
制御部１６は、ＣＰＵ等で構成されており、メモリ１１に記録された各種制御プログラムを実行することにより、サーバ１０に搭載された各種機器を統合制御するとともに、各ＤＶＤチェンジャに制御指令を送信して制御を行うものである。
【００２０】
例えば、制御部１６は、各ＤＶＤチェンジャに電源が投入されているか否かを検出する。具体的には、制御部１６は、チェンジャ側Ｉ／Ｆ１５及びケーブル６０を介して所定の通信コマンドを各ＤＶＤチェンジャに送信する。ＤＶＤチェンジャに電源が投入されている場合には、そのＤＶＤチェンジャの制御部は、サーバ１０の制御部１６から送信された通信コマンドを受信して、その通信コマンドに対応する返信コマンドをサーバ１０の制御部１６に送信する。一方、ＤＶＤチェンジャに電源が投入されていない場合には、そのＤＶＤチェンジャの制御部から返信コマンドが送信されることはない。
【００２１】
従って、制御部１６は、各ＤＶＤチェンジャから返信コマンドが送信されたか否かを検出することにより、各ＤＶＤチェンジャに電源が投入されているか否かを検出することができる。すなわち、制御部１６は、本発明における電源投入状態検出手段として機能する。
【００２２】
また、制御部１６は、各ＤＶＤチェンジャのディスク収納部に収納されたＤＶＤのディスク関連情報を読み取ってメモリ１１に記録するとともに、このディスク関連情報に基づいてＤＶＤのリスト情報を作成してメモリ１１に記録する。また、制御部１６は、入力された指示に応じて、メモリ１１に記録した各ＤＶＤチェンジャ内のＤＶＤのリスト情報を表示部１３に表示する。また、制御部１６は、入力された再生指示に応じて各ＤＶＤチェンジャを制御することにより、多数枚のＤＶＤの自動連続再生を行う。
【００２３】
また、制御部１６は、各ＤＶＤチェンジャのうち少なくとも何れか一つのＤＶＤチェンジャが電源未投入状態にある場合に、又は、電源未投入状態にあるＤＶＤチェンジャに対して制御指令が送出された場合に、その旨を表示部１３に表示する。すなわち、制御部１６は、本発明における表示制御手段としても機能する。本実施の形態においては、例えば第２チェンジャ３０に電源が投入されていない場合に、表示部１３に「Changer 2  POWER OFF」と表示することとしている。また、電源未投入状態にあるＤＶＤチェンジャに対して制御指令を送出した場合には、表示部１３に「ERROR」と表示することとしている。
【００２４】
次に、図３を用いて、本実施の形態に係るディスク再生システム１を構成する各ＤＶＤチェンジャ（第１チェンジャ２０〜第３チェンジャ４０）の機能的構成について説明する。なお、各ＤＶＤチェンジャの機能的構成は実質的に同一であるので、ここでは第２チェンジャ３０を例に挙げて説明することとする。
【００２５】
第２チェンジャ３０は、本発明におけるディスク再生装置であり、図３に示すように、メモリ３１、再生部３２、操作部３３、表示部３４、サーバ側Ｉ／Ｆ３５、チェンジャ側Ｉ／Ｆ３６、リレー３７、内部ケーブル３８、制御部３９、図示されていないディスク収納部等を備えている。
【００２６】
メモリ３１は、制御部３９により実行される各種制御プログラムや、制御に使用される各種データ等を記録するものであり、読出自在で書替不能な記録媒体であるＲＯＭや、読み書き自在な記録媒体であるＲＡＭ等から構成されている。
【００２７】
再生部３２は、制御部３９の制御に基づいて、ディスク収納部内のＤＶＤに記録されたディスク関連情報や画像・音声情報を読み取るものである。再生部３２によって読み取られた情報は、サーバ側Ｉ／Ｆ３５及びケーブル６０を介して、サーバ１０及びモニタ５０に送信され、モニタ５０の表示画面５１やスピーカ５２に出力される。
【００２８】
操作部３３は、第２チェンジャ３０を操作するための各種操作キーや操作ダイアル等を備えている。表示部３４は、再生中のＤＶＤのトラック番号情報、第２チェンジャ３０の各種動作に係る情報等を表示するものである。
【００２９】
サーバ側Ｉ／Ｆ３５は、ケーブル６０を介してサーバ１０及びモニタ５０との間で情報を送受信するための入出力インターフェースであり、チェンジャ側Ｉ／Ｆ３６は、ケーブル６０を介してサーバ１０と反対側のＤＶＤチェンジャ（第３チェンジャ４０）との間で情報を送受信するための入出力インターフェースである。なお、本実施の形態においては、通信規格として「ＩＥＥＥ１３９４」を採用している。
【００３０】
リレー３７及び内部ケーブル３８は、第２チェンジャ３０が電源未投入状態にある場合に、サーバ側Ｉ／Ｆ３５とチェンジャ側Ｉ／Ｆ３６とを情報通信可能に接続するものであり、本発明における電源未投入時接続手段を構成する。なお、内部ケーブル３８はＩＥＥＥ１３９４ケーブルであり、第２チェンジャ３０の内部に配されている。
【００３１】
リレー３７は、第２チェンジャ３０への電源の投入に連動して切り替えられるように構成されている。電源未投入時においては、図３に実線で示すように、リレー３７によってサーバ側Ｉ／Ｆ３５と内部ケーブル３８とが接続される。このため、サーバ１０から送信された情報を、サーバ側Ｉ／Ｆ３５、内部ケーブル３８及びチェンジャ側Ｉ／Ｆ３６を順次介して第３チェンジャ４０に伝送することができる。また、電源未投入時においては、リレー３７によってサーバ側Ｉ／Ｆ３５と内部ケーブル３８とが接続されるため、第３チェンジャ４０から送信された情報を、チェンジャ側Ｉ／Ｆ３６、内部ケーブル３８及びサーバ側Ｉ／Ｆ３５を順次介してサーバ１０に伝送することができる。
【００３２】
一方、電源投入時においては、図３に二点鎖線で示すように、リレー３７によってサーバ側Ｉ／Ｆ３５と制御部３９とが接続される。このため、サーバ１０から送信された情報を、サーバ側Ｉ／Ｆ３５、制御部３９及びチェンジャ側Ｉ／Ｆ３６を順次介して第３チェンジャ４０に伝送することができる。また、電源投入時においては、リレー３７によってサーバ側Ｉ／Ｆ３５と制御部３９とが接続されるため、第３チェンジャ４０から送信された情報を、チェンジャ側Ｉ／Ｆ３６、制御部３９及びサーバ側Ｉ／Ｆ３５を順次介してサーバ１０に伝送することができる。
【００３３】
制御部３９は、ＣＰＵ等で構成されており、メモリ３１に記録された各種制御プログラムを実行することにより、第２チェンジャ３０に搭載された各種機器を統合制御するとともに、サーバ１０に対して所定の情報を送信するものである。
【００３４】
具体的には、制御部３９は、サーバ１０の制御部１６から所定の通信コマンドが送信された場合に、その通信コマンドに対応する返信コマンドをサーバ１０に送信する。また、制御部３９は、再生部３２を制御して、ディスク収納部に収納されたＤＶＤに記録された情報を読み取るとともに、読み取った情報を、サーバ側Ｉ／Ｆ３５及びケーブル６０を介してサーバ１０やモニタ５０に送信する。また、制御部３９は、ケーブル６０及びチェンジャ側Ｉ／Ｆ３６を介して第３チェンジャ４０から情報が送信された場合に、その情報を、サーバ側Ｉ／Ｆ３５及びケーブル６０を介してサーバ１０やモニタ５０に送信する。
【００３５】
次に、図４のフローチャートを用いて、本実施の形態に係るディスク再生システム１の制御動作について説明する。
【００３６】
まず、ディスク再生システム１のサーバ１０に電源を投入する（サーバ電源投入工程：Ｓ１０）。すると、サーバ１０の制御部１６は、第１チェンジャ２０に対して所定の通信コマンドを送信し、第１チェンジャ２０から返信コマンドが送信されるか否かを検出することにより、第１チェンジャ２０に電源が投入されているか否かを検出する（第１検出工程：Ｓ１１）。
【００３７】
第１検出工程Ｓ１１において、第１チェンジャ２０に電源が投入されている旨が検出された場合には、サーバ１０の制御部１６は、第１検出工程Ｓ１１と同様の方法で第２チェンジャ３０に電源が投入されているか否かを検出する（第２検出工程：Ｓ１２）。この第２検出工程Ｓ１２において第２チェンジャ３０に電源が投入されている旨が検出された場合には、サーバ１０の制御部１６は、第１検出工程Ｓ１１と同様の方法で第３チェンジャ４０に電源が投入されているか否かを検出する（第３検出工程：Ｓ１３）。
【００３８】
そして、第３検出工程Ｓ１３において、第３チェンジャ４０に電源が投入されている旨が検出された場合には、サーバ１０の制御部１６は、全てのチェンジャ（第１チェンジャ２０、第２チェンジャ３０及び第３チェンジャ４０）の制御を行ってＤＶＤの連続再生を行う（全チェンジャ制御工程：Ｓ１４）。一方、第３検出工程Ｓ１３において、第３チェンジャ４０が電源未投入状態にある旨が検出された場合には、サーバ１０の制御部１６は、第１チェンジャ２０及び第２チェンジャ３０の制御を行う（第１・第２チェンジャ制御工程：Ｓ１５）。
【００３９】
また、第１検出工程Ｓ１１において、第１チェンジャ２０が電源未投入状態にある旨が検出された場合には、サーバ１０の制御部１６は、第１チェンジャ２０に設けられた電源未投入時接続手段（リレー及び内部ケーブル）を介して、第２チェンジャ３０に対して所定の通信コマンドを送信し、第２チェンジャ３０から返信コマンドが送信されるか否かを検出することにより、第２チェンジャ３０に電源が投入されているか否かを検出する（第４検出工程：Ｓ２２）。
【００４０】
この第４検出工程Ｓ２２において、第２チェンジャ３０に電源が投入されている旨が検出された場合には、サーバ１０の制御部１６は、第４検出工程Ｓ２２と同様に、第１チェンジャ２０に設けられた電源未投入時接続手段（リレー及び内部ケーブル）を介して、第３チェンジャ４０に対して所定の通信コマンドを送信し、第３チェンジャ４０から返信コマンドが送信されるか否かを検出することにより、第３チェンジャ４０に電源が投入されているか否かを検出する（第５検出工程：Ｓ２３）。
【００４１】
そして、第５検出工程Ｓ２３において第３チェンジャ４０に電源が投入されている旨が検出された場合には、サーバ１０の制御部１６は、第２チェンジャ３０及び第３チェンジャ４０の制御を行う（第２・第３チェンジャ制御工程：Ｓ２４）。一方、第５検出工程Ｓ２３において第３チェンジャ４０が電源未投入状態にある旨が検出された場合には、サーバ１０の制御部１６は、第２チェンジャ３０の制御のみを行う（第２チェンジャ制御工程：Ｓ２５）。
【００４２】
また、第４検出工程Ｓ２２において、第２チェンジャ３０が電源未投入状態にある旨が検出された場合には、サーバ１０の制御部１６は、第１チェンジャ２０及び第２チェンジャ３０に設けられた電源未投入時接続手段（リレー及び内部ケーブル）を介して、第３チェンジャ４０に対して所定の通信コマンドを送信し、第３チェンジャ４０から返信コマンドが送信されるか否かを検出することにより、第３チェンジャ４０に電源が投入されているか否かを検出する（第６検出工程：Ｓ３３）。
【００４３】
そして、第６検出工程Ｓ３３において、第３チェンジャ４０に電源が投入されている旨が検出された場合には、サーバ１０の制御部１６は、第３チェンジャ４０の制御のみを行う（第３チェンジャ制御工程：Ｓ３４）。一方、第６検出工程Ｓ３３において、第３チェンジャ４０が電源未投入状態にある旨が検出された場合には、サーバ１０の制御部１６はサーバ１０自体の制御のみを行う（サーバ制御工程：Ｓ３５）。
【００４４】
また、第２検出工程Ｓ１２において、第２チェンジャ３０に電源が投入されていない旨が検出された場合には、サーバ１０の制御部１６は、第２チェンジャ３０に設けられた電源未投入時接続手段（リレー３７及び内部ケーブル３８）を介して、第３チェンジャ４０に対して所定の通信コマンドを送信し、第３チェンジャ４０から返信コマンドが送信されるか否かを検出することにより、第３チェンジャ４０に電源が投入されているか否かを検出する（第７検出工程：Ｓ４３）。
【００４５】
そして、第７検出工程Ｓ４３において、第３チェンジャ４０に電源が投入されている旨が検出された場合には、サーバ１０の制御部１６は、第１チェンジャ２０及び第３チェンジャ４０の制御を行う（第１・第３チェンジャ制御工程：Ｓ４４）。一方、第７検出工程Ｓ４３において、第３チェンジャ４０が電源未投入状態にある旨が検出された場合には、サーバ１０の制御部１６は、第１チェンジャ２０の制御のみを行う（第１チェンジャ制御工程：Ｓ４５）。
【００４６】
以上説明した実施の形態に係るディスク再生システム１においては、終端に配置されていないＤＶＤチェンジャ（例えば第２チェンジャ３０）に電源が投入されていない場合においても、電源未投入時接続手段（リレー３７及び内部ケーブル３８）を介して、サーバ側Ｉ／Ｆ３５とチェンジャ側Ｉ／Ｆ３６とを情報通信可能に接続することができる。
【００４７】
従って、電源未投入のＤＶＤチェンジャが一部存在する場合においても、電源未投入時接続手段を介して、サーバ１０からの制御指令を残りの電源投入状態にあるＤＶＤチェンジャに伝送することができる。また、電源未投入時接続手段を介して、残りの電源投入状態にあるＤＶＤチェンジャで再生された画像・音声情報をサーバ１０に伝送することができる。この結果、電源未投入状態にあるＤＶＤチェンジャが一部存在する場合においても、残りの電源投入状態にあるＤＶＤチェンジャを有効に制御することができ、多数枚のディスクの再生を実現させることができる（第２・第３チェンジャ制御工程Ｓ２４、第１・第３チェンジャ制御工程Ｓ４４）。
【００４８】
また、以上説明した実施の形態に係るディスク再生システム１においては、３台のＤＶＤチェンジャの少なくとも何れか一つに電源が投入されていない場合、又は、電源未投入状態にあるＤＶＤチェンジャに対して制御指令が送出された場合に、その旨を表示する表示制御手段（サーバ１０の制御部１６）を備えるので、電源未投入状態にあるＤＶＤチェンジャを容易に認識することができる。
【００４９】
なお、以上の実施の形態においては、リレー３７及び内部ケーブル３８によって電源未投入時接続手段を構成した例を示したが、電源未投入時接続手段の構成はこれに限られるものではない。すなわち、終端に配置されていないＤＶＤチェンジャ（例えば第２チェンジャ３０）が電源未投入状態にある場合に、そのＤＶＤチェンジャのサーバ側Ｉ／Ｆ３５とチェンジャ側Ｉ／Ｆ３６とを情報通信可能に接続するものであれば、いかなる構成を採用してもよい。
【００５０】
また、以上の実施の形態においては、ＤＶＤチェンジャの少なくとも何れか一つに電源が投入されていない場合に、その旨を「サーバ１０の表示部１３」に表示した例を示したが、電源が投入されているＤＶＤチェンジャの表示部にその旨を表示してもよい。
【００５１】
例えば、３台のＤＶＤチェンジャのうち第２チェンジャ３０のみが電源未投入状態にあり、他の２台のＤＶＤチェンジャ（第１チェンジャ２０及び第３チェンジャ４０）が電源投入状態にある場合には、第１チェンジャ２０又は第３チェンジャ４０の表示部に、第２チェンジャ３０が投入されていない旨の表示を行うことができる。
【００５２】
また、以上の実施の形態においては、ディスク再生システム１のサーバ１０と各ＤＶＤチェンジャとの間で情報通信を行う際の通信規格として「ＩＥＥＥ１３９４」を採用したが、ＳＣＳＩ、ＵＳＢ、ＲＳ−２３２Ｃ、ＨＤＭＩ等の他の通信規格を採用して情報通信を行うシステムにも本発明を適用することができる。
【００５３】
また、以上の実施の形態においては、制御装置である１台のサーバ１０と、ディスク再生装置である３台のＤＶＤチェンジャと、を直列に接続して構成したディスク再生システムを例示したが、ディスク再生システムの構成はこれに限られるものではない。例えば、ＭＤ、ＣＤ−Ｒ、ＣＤ−ＲＷ等を再生する複数台（例えば２台〜５台）のディスク再生装置と、これらディスク再生装置を制御する１台の制御装置と、を直列に接続して構成したディスク再生システムにも本発明を適用することができる。また、１台のディスク再生装置が制御装置を兼ねるような構成を採用することもできる。
【図面の簡単な説明】
【００５４】
【図１】本発明の実施の形態に係るディスク再生システムの構成を説明するための説明図である。
【図２】図１に示したディスク再生システムを構成するミュージックサーバの機能的構成を説明するためのブロック図である。
【図３】図１に示したディスク再生システムを構成するＤＶＤチェンジャの機能的構成を説明するためのブロック図である。
【図４】図１に示したディスク再生システムの制御動作を説明するためのフローチャートである。
【図５】従来のディスク再生システムの構成を説明するための説明図である。
【符号の説明】
【００５５】
１    ディスク再生システム
１０  ミュージックサーバ（制御装置）
１３  表示部
１６  制御部（電源投入状態検出手段、表示制御手段）
２０  第１チェンジャ（ディスク再生装置）
３０  第２チェンジャ（ディスク再生装置）
３５  サーバ側Ｉ／Ｆ（入出力インターフェース）
３６  チェンジャ側Ｉ／Ｆ（入出力インターフェース）
３７  リレー（電源未投入時接続手段）
３８  内部ケーブル（電源未投入時接続手段）
４０  第３チェンジャ（ディスク再生装置）
６０  ＩＥＥＥ１３９４ケーブル（通信ケーブル）
【図１】
2005292923.tif 000003
【図２】
2005292923.tif 000004
【図３】
2005292923.tif 000005
【図４】
2005292923.tif 000006
【図５】
2005292923.tif 000007